(57)【要約】【課題】管材よりなる手摺りを支柱に備える梯子において、前記手摺りが押潰されないようにし取付ネジを強く締結できるようにする。【解決手段】左右一対の支柱２，２を連結する踏み板３、３…が長手方向に沿って一定間隔で配設されるとともに、前記支柱２，２の上端側に、管材よりなる手摺りが設けられた梯子において、前記手摺り７の取付け部位に、手摺り挿入凹部８ａが形成された手摺り取付けブラケット８を配設するとともに、押潰防止部材１６が挿入された手摺り７の管端部を前記手摺り挿入凹部８ａに挿入し、前記取付ブラケット８の外面側より、前記押潰防止部材１６を挿入した手摺り７の管端部分を貫くとともに、支柱２を貫くように取付ネジ１７を挿通し、対面側においてナット部材１８によって締結する。【選択図】  図６
2004244951.tif 000002
【特許請求の範囲】
【請求項１】
左右一対の支柱を連結する踏み板が長手方向に沿って一定間隔で配設されるとともに、前記支柱の上端側に、管材よりなる手摺りが設けられた梯子における前記手摺りの取付け構造において、
前記手摺りの取付け部位に、手摺り挿入凹部が形成された手摺り取付けブラケットを配設するとともに、押潰防止部材が挿入された手摺り管端部を前記手摺り挿入凹部に挿入し、
前記取付ブラケットの外面側より、前記押潰防止部材が挿入された手摺り管端部分を貫くとともに、支柱を貫くように取付ネジを挿通し、対面側においてナット部材により締結したことを特徴とする梯子における手摺りの取付け構造。
【請求項２】
前記手摺り取付ブラケットには、前記取付ネジの頭部が収容されるネジ頭嵌合凹部が形成された請求項１記載の梯子における手摺りの取付け構造。
【請求項３】
前記踏み板の踏み面に蓄光材料が設けられるとともに、前記踏み板の踏み面および蓄光材料の上面に凹凸面が形成された請求項１〜２いずれかに記載の梯子における手摺りの取付け構造。
【発明の詳細な説明】
【０００１】
【発明の属する技術分野】
本発明は、ロフト梯子、垂直梯子等、主に階上室と階下室との間を行き来するために使用される梯子において、該梯子の支柱に取り付けられる手摺りの取付け構造に関する。
【０００２】
【従来の技術】
ロフト梯子、垂直梯子等、主に階上室と階下室とを行き来するために使用される梯子は、左右一対の支柱を連結する踏み板が長手方向に沿って一定間隔で配設された構造となっているが、落下防止および利便性を図るために前記支柱の上部に管材よりなる手摺りが設けられることがある。この手摺りを支柱に取付けるには、管端部及び支柱に貫入させた取付けネジによって締結する方法が専ら採用されていた。
【０００３】
【発明が解決しようとする課題】
しかしながら、前記管材よりなる手摺りは、内部が中空であるため、直径方向にネジを貫通し、ナットにより取付けネジを強く締結しようとすると手摺りが押潰され変形してしまうなどの問題があった。或いは、押潰されないように手摺り管の肉厚を大きくする必要があった。
【０００４】
また、取付けネジの頭部が梯子の外面側よりも突出させると障害物となり、手がこすれて擦り傷を負ったりする虞があるのみならず、意匠性も悪くなる問題があった。
【０００５】
そこで、本発明の主たる課題は、管材よりなる手摺りを支柱に備える梯子において、前記手摺りが押潰されないようにし取付ネジを強く締結することができるようにすること、および取付けネジの頭部を梯子の外面側より突出させることなく取り付けした手摺りの取付け構造を提供することにある。
【０００６】
【課題を解決するための手段】
前記課題を解決するための請求項１に係る本発明として、左右一対の支柱を連結する踏み板が長手方向に沿って一定間隔で配設されるとともに、前記支柱の上端側に、管材よりなる手摺りが設けられた梯子における前記手摺りの取付け構造において、
前記手摺りの取付け部位に、手摺り挿入凹部が形成された手摺り取付けブラケットを配設するとともに、押潰防止部材が挿入された手摺り管端部を前記手摺り挿入凹部に挿入し、
前記取付ブラケットの外面側より、前記押潰防止部材が挿入された手摺り管端部分を貫くとともに、支柱を貫くように取付ネジを挿通し、対面側においてナット部材により締結したことを特徴とする梯子における手摺りの取付け構造が提供される。
【０００７】
上記請求項１記載の本発明においては、手摺りの管端部に押潰防止部材を挿入しておき、取付ネジを前記押潰防止部材を挿入した手摺り管端部分を貫いて貫通させ締結しているので、手摺りは押潰されることがなく、取付ネジを強く締結することができる。
【０００８】
請求項２に係る本発明として、前記手摺り取付ブラケットには、前記取付ネジの頭部が収容されるネジ頭嵌合凹部が形成された請求項１記載の梯子における手摺りの取付け構造が提供される。
【０００９】
上記請求項２記載の本発明においては、取付ネジの頭部が手摺り取付ブラケットに設けられたネジ頭嵌合凹部に収容されるので、前記取付ネジの頭部が梯子の側面から突出しなくなり、傷を負ったりすることが無くなるとともに、意匠性が向上する。
【００１０】
請求項３に係る本発明として、前記踏み板の踏み面に蓄光材料が設けられるとともに、前記踏み板の踏み面および蓄光材料の上面に凹凸面が形成された請求項１〜２いずれかに記載の梯子における手摺りの取付け構造が提供される。
【００１１】
上記請求項３記載の本発明においては、前記踏み板には、蓄光材料が設けられるため、室内が暗い場合でも踏み板を踏み外すことが無くなるとともに、前記踏み板の踏み面および蓄光材料の上面に凹凸面が形成されているため、踏み板から足を滑らせて踏み外すような事態を防ぐことができる。
【００１２】
【発明の実施の形態】
以下、本発明の実施の形態について図面を参照しながら詳述する。
図１は本発明に係る梯子１の側面図、図２は正面図（図１のＩＩ−ＩＩ線矢視図）、図３は図２のＩＩＩ−ＩＩＩ線矢視図である。
【００１３】
図示される梯子１は、図１に示されるように、階下側の床面Ｆ１と、ロフトＦ２とを行き来するためのロフト梯子の例であり、図２に示されるように、左右一対の支柱２，２の間に、この支柱２，２を連結する踏み板３，３，…が長手方向に沿って一定間隔で配設されている。前記支柱２の壁Ｗとの対面側には、図１に示されるように、フック部材４、５が上下２段で設けられており、壁Ｗの階上側床面Ｆ２付近の壁Ｗに設けられた係止パイプ６に対し、図示例のように、上段側フック４を係止パイプ６に係止させると梯子１が傾斜した使用状態となり、階下側の床面Ｆ１と、階上側のロフトＦ２との間を人が行き来できるようになる。また、収容時には、下段側フック５を前記係止パイプ６に係止させると梯子１が垂直状態で壁Ｗに立て掛けられるようになっている。
【００１４】
前記支柱２は図３に示されるように、断面形状が不等辺溝型形状を成す形材が使用され、外側の開口部分には部材長手方向に沿って、支柱カバー１０、１１が取り付けられている。また、支柱２の下端には滑り止め用キャップ１２が設けられている。
【００１５】
一方、前記踏み板３は、図４に示されるように、基本的には断面視で略矩形状の部材とされるが、本例では一方端側の下面部分が略円弧状に狭まった舟形断面形状を成し、断面が隔壁３ｄ、３ｄによって３つのセル３ａ〜３ｃに区画されているとともに、各隔壁３ｄ、３ｄの上部位置にビスポケット３ｅ、３ｅが夫々形成されている。
【００１６】
また、前記踏み板３の踏み面３Ａは、滑り止めのため凹凸面状に形成されているとともに、セル３ｃの上面には、蓄光材料１３が収容される溝型断面形状の嵌合凹部３ｆが形成されている。前記蓄光材料１３は、上層部１３ａがアクリル系の透明な樹脂よりなり、下層部１３ｂが蓄光材を含むポリプロピレン系の樹脂よりなる部材であり、前記嵌合凹部３ｆ内に収容状態で設置されている。また、前記上層部１３ａの上面には、前記踏み面３Ａと同様に、滑り止めのために凹凸面が形成されている。この蓄光材料１３によって、例えば夜間に消灯後であっても、前記蓄光材料１３の発光により踏み板３の位置が目視できるようになり、安全に昇降できるようになる。
【００１７】
前記踏み板３を支柱２，２へ取り付けるには、図３に示されるように、踏み板３の端面に踏み板端部キャップ１４，１４を嵌め込むとともに、支柱２，２の外面側よりそれぞれ２本ずつ固定ネジ１５，１５をビスポケット３ｅ、３ｅに螺入して前記支柱２，２に対して固定する。
【００１８】
前記支柱２、２の上端側には、屈曲加工した管材よりなる手摺り７，７が取り付けられている。前記手摺り７は、図５に示されるように、一方側端部が第１手摺り取付ブラケット８（以下、単に第１ブラケットという。）を介して支柱長手方向と直交する方向に連結されているとともに、他方側端部が第２手摺り取付ブラケット９（以下、単に第２ブラケットという。）を介して支柱２の上端に支柱長手方向に沿う方向に連結されている。
【００１９】
前記手摺り７の第１ブラケット８側における取付け構造について説明すると、図６に示されるように、前記手摺り７は、この手摺り７と支柱２との間に介在される第１ブラケット８と、ナット締結時に手摺り７の管端部が潰れるのを防止するために管端部に挿入された押潰防止部材１６と、これらを貫通して設けられる取付ネジ１７，１７及びナット１８とにより支柱２に固定されている。
【００２０】
前記第１ブラケット８は、図７に示されるように、外側部分に、前記手摺り７の管端部が挿入される手摺り挿入凹部８ａが形成された手摺り連結部８Ａと、内側部分に、支柱２の溝内部に差し込まれる挿入ブロック部８Ｂとからなる部材である。
【００２１】
前記手摺り連結部８Ａは、前記手摺り７の管端部が挿入される手摺り挿入凹部８ａが水平方向に設けられており、かつ外面側から前記挿入ブロック８Ｂ方向に向けてネジ孔８ｃ、８ｃが形成されるとともに、外面部に取付ネジ１７の頭部が収容されるネジ頭嵌合凹部８ｂ、８ｂが設けられている。
【００２２】
一方、前記挿入ブロック８Ｂには、前記ネジ孔８ｃ、８ｃと同一軸線に沿ってネジ挿通孔８ｄ、８ｄが形成されている。また、前記手摺り連結部８Ａとの境界は、支柱２の外面形状に沿うように弧状に形成されている。
【００２３】
一方、前記押潰防止部材１６は、図８に示されるように、取付ネジ１７の挿通孔１６ａ、１６ａが部材軸に対して直交する方向に形成され、かつ母線方向に沿って４つの係合爪１６ｂ、１６ｂ…が周面に形成されるとともに、一方側端部に係合突起１６ｃが形成された部材であり、図９に示されるように、手摺り７の管端部に挿入される。この際、前記係合突起１６ｃを前記手摺り７の端部に形成された切欠き７ａに係止させることにより、押潰防止部材１６が管の内部に入り込み過ぎないようにするとともに、正規の方向を向くようになっている。また、前記手摺り７の管端部に挿入した後、容易に抜け出さないように、前記係合爪１６ｂ、１６ｂ…が管内面にきつく接触するようになっている。
【００２４】
支柱２への取付けは、図６に示されるように、手摺り７の取付け部位に、手摺り取付けブラケット８を配設するとともに、押潰防止部材１６が挿入された手摺り７の管端部を前記手摺り挿入凹部８ａに挿入し、第１ブラケット８の外面側より、手摺り７の押潰防止部材１６が挿入された手摺り管端部分部分を貫くとともに、支柱２を貫くように取付ネジ１７、１７を挿通し、対面側、すなわち支柱２の内面側において袋ナット１８，１８によって締結する。なお、前記袋ナット１８は通常のナットで代用してもよい。
【００２５】
次に、第２ブラケット９側における手摺り取付け構造について、図１０および図１１に基づいて説明する。
【００２６】
前記第２ブラケット９は、前記第１ブラケット８と同様に、前記手摺り７の管端部が挿入される手摺り挿入凹部９ａが形成された手摺り連結部９Ａと、前記支柱２の溝内部に差し込まれる挿入ブロック部９Ｂとからなる部材であり、前記手摺り連結部９Ａには、前記手摺り７の管端部が挿入される手摺り挿入凹部９ａと、外面側から前記挿入ブロック９Ｂ方向に向けて形成されたネジ孔９ｃ、９ｃと、取付ネジ１７の頭部が収容されるネジ頭嵌合凹部９ｂ、９ｂとが設けられ、かつ前記挿入ブロック部９Ｂにはネジ孔９ｃ、９ｃと同一軸線に沿ってネジ挿通孔９ｄ、９ｄが設けられているが、本第２ブラケット９では、上方向から手摺り７の管端部が挿入されるので、手摺り収容凹部９ａが上端面に設けられ、これに伴い、前記ネジ孔９ｃ、９ｃおよびネジ頭嵌合凹部９ｂ、９ｂも部材長手方向に並んで配置されている。また、本第２ブラケット９は、支柱２の上端に取り付けられるため、前記係合ブロック部９Ｂが支柱上端部キャップを兼用するようになっている。なお、押潰防止部材１６等、他の部材については、前記第１ブラケット８の場合と同様であるため、同符号を付して説明を省略する。
【００２７】
（他の実施形態例）
（１）上記形態例では、取付ネジ１７を各手摺り取付部位毎、２本ずつ使用したが、１本のみとしてもよい。
【００２８】
（２）上記形態例では、手摺り取付ブラケット８，９の外面部分に、取付ネジ１７の頭部を収容するネジ頭嵌合凹部８ｂ、９ｂを設けたが、これを設けずに前記取付ネジ１７の頭部を手摺り取付ブラケット８，９の外面から突出させたままとしてもよい。
【００２９】
（３）上記形態例では、踏み板３に蓄光材料１３を設け、前記踏み板３の踏み面３Ａおよび蓄光材料１３の上面の両方に凹凸面を形成したが、踏み板面３Ａにのみ凹凸面を形成するようにしてもよい。
【００３０】
【発明の効果】
以上詳説のとおり本発明によれば、管材よりなる手摺りを支柱に備える梯子において、手摺りの管端部に押潰防止部材を挿入しておき、取付ネジを前記押潰防止部材を挿入した手摺り管端部分を貫いて貫通し締結しているので、手摺りは押潰することがなく、取付ネジを強く締結することができるようになる。また、付ネジの頭部が手摺り取付ブラケットに設けられたネジ頭嵌合凹部に収容されるようにしたため、取付けネジの頭部を梯子の外面側より突出させることなく取り付けできるようになる。
【図面の簡単な説明】
【図１】本発明に係る梯子１の側面図である。
【図２】その正面図（図１のＩＩ−ＩＩ線矢視図）である。
【図３】図２のＩＩＩ−ＩＩＩ線矢視図である。
【図４】図３のＩＶ−ＩＶ線矢視図である。
【図５】支柱２への手摺り７取付け部分の拡大側面図である。
【図６】そのＶＩ−ＶＩ線矢視図である。
【図７】第１手摺り取付ブラケット８を示す、（Ａ）は正面図、（Ｂ）はその縦断面図、（Ｃ）は右側面図である。
【図８】押潰防止部材１６を示す、（Ａ）は正面図、（Ｂ）は縦断面図、（Ｃ）は左側面図である。
【図９】手摺り７の管端部を示す、（Ａ）は正面図、（Ｂ）は左側面図である。
【図１０】第２手摺り取付ブラケット９による手摺り取付け部分を示す平面図である。
【図１１】その側面図である。
【符号の説明】
１…梯子、２…支柱、３…踏み板、３Ａ…踏み面、７…手摺り、８…第１手摺り取付ブラケット、９…第２手摺り取付ブラケット、８ａ・９ａ…手摺り収容凹部、８ｂ・９ｂ…ネジ頭嵌合凹部、１３…蓄光材料、１６…押潰防止部材、１７…取付ネジ、１８…袋ナット
【図１】
2004244951.tif 000003
【図２】
2004244951.tif 000004
【図３】
2004244951.tif 000005
【図４】
2004244951.tif 000006
【図５】
2004244951.tif 000007
【図６】
2004244951.tif 000008
【図７】
2004244951.tif 000009
【図８】
2004244951.tif 000010
【図９】
2004244951.tif 000011
【図１０】
2004244951.tif 000012
【図１１】
2004244951.tif 000013